(57)【要約】【課題】専用の軽量な防水カバーをリュックサックに予め一体に付属させ、不意の雨でも確実に使用できるものとし、かつ、使用時に防水カバーがリュックサック本体から容易に外れることのない構造としたリュックサックを提供する。【解決手段】背負い式カバン本体１０の底面部位に、背板１１の下辺に沿う開口部１４を有したポケット１２を設け、ポケット１２内には、リュックサック本体１０を、その背板１１を残して被包する防水カバー２０を収納し、防水カバー２０の端部の一部をポケット１２内の開口部１４の内側に縫着する。防水カバー２０とリュックサック本体１０の上部との間の少なくとも一箇所に、防止カバー２０とリュックサック本体１０とを互いに接続する接続手段３０を設け、防水カバーによりリュックサック本体１０を被包したとき、防水カバーによる被包状態が保持されるようにした。【選択図】図１
0003126226.tif 000002
【実用新案登録請求の範囲】
【請求項１】
背負い式カバン本体（１０）の底面（１３）部位に、背板（１１）の下辺に沿う開口部（１４）を有したポケット（１２）を設け、上記ポケット（１２）内には、リュックサック本体（１０）を、その背板（１１）を残して被包する防水カバー（２０）を収納し、上記防水カバー（２０）の端部をポケット（１２）内側に接合して防水カバー（２０）全体をポケット（１２）から取出し可能としたリュックサックであって、
前記防水カバー（２０）と前記リュックサック本体（１０）の上部との間の少なくとも一箇所に、前記防止カバー（２０）と前記リュックサック本体（１０）とを互いに接続する接続手段（３０）を設け、防水カバー（２０）によりリュックサック本体（１０）を被包したとき、防水カバー（２０）による被包状態が保持されるようにしたことを特徴とするリュックサック。
【請求項２】
リュックサック本体（１０）の底面（１３）部位に内底（１３ａ）を設けて二重底となし、背板（１１）の下辺に沿って該二重底の開口部（１４）を背板（１１）の略全幅に渡って設け、この開口部（１４）には開閉用のファスナー（１５）を取り付け、底面（１３）と内底（１３ａ）との間をポケット（１２）となし、防水性生地（２１）の周縁に、伸縮性を有した帯材（２２）を該防水性生地（２１）に襞を寄せて縫合して、リュックサック本体（１０）をその背板（１１）を残して被包するようにしたキャップ状の防水カバー（２０）をポケット（１２）内に収納し、前記防水カバー（２０）の端部の一部を、ポケット（１２）内の開口辺内側に接合してなるリュックサックにおいて、
前記防水性生地（２１）と前記リュックサック本体（１０）の上部との間の少なくとも一箇所に、前記防止生地（２１）と前記リュックサック本体（１０）とを互いに接続する接続手段（３０）を設け、この接続手段（３０）は、防水生地（２１）側から延びる接続片（３１）と、リュックサック本体（１０）側に設けた接続片固定部（３２）とからなり、防水生地（２１）によりリュックサック本体（１０）を被包したとき、前記接続片（３１）は前記接続片固定部（３２）に着脱自在に固定され、防水生地（２１）による被包状態が保持されるようにしたことを特徴とするリュックサック。
【考案の詳細な説明】
【技術分野】
【０００１】
本考案はリュックサックに関し、特に背負い式の袋状の収納具であるリュックサック、ナップザック、デイバッグ等に関するものである。  
【背景技術】
【０００２】
通常、リュックサックは、撥水性の生地、または防水性の生地で製造されることもあるので、雨が降っても収納物が濡れることは少ない。しかし、防水性能をあまり追求すると、体裁が悪くなったり、通気性が無くなり背中に背負った際に暑苦しい感じがすること等から、適度に撥水性を有する生地で製造される場合が多く、長時間、強い雨にあたる場合には、完全な防水性を保障できないのが一般的である。
また、長年にわたり使用したリュックサックは、防水性又は撥水性が低下することがあり、定期的に撥水剤等を噴霧する等、防水性又は撥水性を保つための対策が必要になる場合がある。
【０００３】
そこで、外出時に雨が予想される場合は、別途防水カバーを用意して、雨が降ってきたらこの防水カバーをリュックサックに被せて使用することも考えられるが、防水カバーを別途携帯することは面倒である。これをリュックサック内に収納すると使用時にその取出し作業が必要となる。
また、防水カバーを装着した際、風雨が強いと防水カバーは、一般に通気性に乏しいので、これがリュックサック本体から容易に外れてしまう虞があった。
【考案の開示】
【考案が解決しようとする課題】
【０００４】
本考案は上記のような事情に鑑みてされたもので、専用の軽量な防水カバーをリュックサックに予め一体に付属させ、不意の雨でも確実に使用できるものとし、かつ、使用時に防水カバーがリュックサック本体から容易に外れることのない構造としたリュックサックを提供することを課題とする。
【課題を解決するための手段】
【０００５】
本考案は上記課題を達成するため、次のようなものとした。すなわち、リュックサック本体１０の底面１３部位に、背板１１の下辺に沿う開口部１４を有したポケット１２を設け、前記ポケット１２内には、リュックサック本体１０を、その背板１１を残して被包する防水カバー２０を収納し、前記防水カバー２０の端部をポケット１２内側に接合して防水カバー２０全体をポケット１２から取出し可能としたリュックサックにおいて、前記防水カバー２０と前記リュックサック本体１０の上部との間の少なくとも一箇所に、前記防止カバー２０と前記リュックサック本体１０とを互いに接続する接続手段３０を設け、防水カバー２０によりリュックサック本体１０を被包したとき、防水カバー２０による被包状態が保持されるようにしたことを特徴とする。
【０００６】
上記のような構成によれば、本考案のリュックサックは、外見こそ一般のものと異なるところがないが、常にポケット１２内に防水カバー２０を収納して携行できる。したがって、防水カバー２０の携行を忘れることがない。
【０００７】
そして、リュックサック使用中に雨が降ってきた場合は、この防水カバー２０を取出してリュックサック本体１０に被せることで、リュックサック内の収納物に対して、防水カバー２０とリュックサック本体１０の生地の防水性とがあいまって、二重に防水される。
また、風雨が強い場合であっても、上記接続手段３０によって、防水カバー２０はリュ
ックサック本体から容易に外れることがなく、リュックサック本体１０の被包状態を保持できる。
【０００８】
さらに、本考案は、リュックサック本体１０の底面１３部位に内底１３ａを設けて二重底として、背板１１の下辺に沿って該二重底の開口部１４を背板１１の略全幅に渡って設け、この開口部１４には開閉用のファスナー１５を取り付け、底面１３と内底１３ａとの間にポケット１２を形成し、防水性生地２１の周縁に、伸縮性を有した帯材２２を該防水性生地２１に襞を寄せて縫合して、リュックサック本体１０をその背板１１を残して被包するように成したキャップ状の防水カバー２０を、ポケット１２内に収納し、前記防水カバー２０の端部の一部を、ポケット１２内の開口辺内側に接合してなるリュックサックにおいて、前記防水性生地２１と前記リュックサック本体１０の上部との間の少なくとも一箇所に、前記防止生地２１と前記リュックサック本体１０とを互いに接続する接続手段３０を設け、この接続手段３０は、防水生地２１側から延びる接続片３１と、リュックサック本体１０側に設けた接続片固定部３２とからなり、防水生地２１によりリュックサック本体１０を被包したとき、前記接続片３１は前記接続片固定部３２に着脱自在に固定され、防水生地２１による被包状態が保持されるようにしたことを特徴とする。
【０００９】
このようなリュックサックは、底面１３部位に内底１３ａを設けて開閉用のファスナー１５を取り付けるのみで、ポケット１２を形成でき、比較的大きな防水カバー２０をも収納できるスぺースを容易に確保できる。
【００１０】
前記防水カバー２０は、防水性生地２１の周縁に、伸縮性を有した帯材２２を防水性生地２１に襞を寄せて縫合して、リュックサック本体１０をその背板１１を残して被包するように成したキャップ状としたので、リュックサック本体１０に容易確実に着脱可能となる。
【考案の効果】
【００１１】
本考案によれば、常に防水カバーがリュックサックに一体的に取り付けられ、必要時必ず使用できる。また、防水カバーは、各リュックサック専用として製作されるので、リュックサック本体に無理なくフィットさせることができ、かつ、防止カバーを紛失してしまう虞がない。
【００１２】
さらに、リュックサックを背負った状態で防水カバーの装着状態を自ら確認することは容易でない場合があるが、防止カバーとリュックサック本体とを互いに接続する接続手段を設けたことで、風雨が強い状況下等あっても、防水カバーの装着状態が保持されるので安心である。
【考案を実施するための最良の形態】
【００１３】
次に、本考案の実施の形態にかかるリュックサックを、図面を参照して説明する。
図１は、本考案リュックサックの一実施例を示す背面図である。リュックサック本体１０としては、従来と同様のものが使用でき、その材質，大きさ、形状は特に限定されるものはない。すなわち、一般的な一対の背負帯１６、１６で背負うようにしたものであればよく、従来、ナップザック、デイバッグと称される背負式の袋状体も、特に本考案より除外する理由は無い。なお、図１に示すリュックサックはウエストバンド１７、１７を有している。
【００１４】
本考案は、リュックサック本体１０の底面１３部位に、背板１１の下辺に沿う開口部１４を有したポケット１２を設けてある。このポケット１２は、底面１３の内面側または、後面側のいずれに設けてもよく、その大きさ及び形状は適宜に設定すればよい。
図示例では、底面１３部位に内底１３ａを設けて二重底として、背板１１の下辺に沿っ
て該二重底の開口部１４を設け、この底面１３と内底１３ａとで底面１３の全面形状のポケット１２を形成している。この内底１３ａは、濡れた状態の防水カバー２０を収納することが想定されるので、防水性の生地を使用するのが望ましい。
【００１５】
上記ポケット１２内には、展開状態を図２に示すようなリュックサック本体１０を、その背板１１を残して被包する防水カバー２０を収納してある。この種の防水カバーは、従来、リュックサックの防水カバーとして別途販売されているものを使用していたが、これらリュックサックとは別に用意された防水カバーは比較的大きく、生地も厚く嵩張るものである。これに対して本考案の防水カバーは生地を薄くし、リュックサックに最大量を収納した際のリュックサックの大きさを想定しつつ、必要最低限の大きさに設定することができる。
【００１６】
なお、リュックサックの背板１１面には、２つの背負帯１６，１６等が存在するので、防水カバーを装着しにくいこと、及びこの背板１１面はリュックサック使用時は使用者の背中に接触しているので、比較的、雨に濡れにくい。このような観点から、防水カバー２０は、背板１１を残してリュックサック本体１０にキャップ状に被せるようにしている。したがって、防水カバー２０の着脱作業が容易になり扱いやすいものとなる。
【００１７】
また、防水カバー２０は、リュックサック本体１０にキャップ状に被せても、リュックサック本体への収納物が少ない状況では、リュックサック本体１０が収縮しているために防水カバー２０が容易に脱落することがある。そのため、キャップ状の開口縁を、縁に通した緊締紐で開口量を狭めるように緊締するか、予め、ゴム帯等の伸縮性の帯材２２をキャップ状の開口縁に沿わせて防水カバー２０に生地に襞２４、２４・・・（図２参照）を形成し、前記開口を予め狭めて設ける。そして使用時には、帯材２２を伸ばしてリュックサック本体１０に着装する。
【００１８】
さらに、防水カバー２０とリュックサック本体１０とを互いに接続するための接続手段としてのベルト３０が、防水カバー２０の頂部に設けられている。このベルト３０の先端には、ベルト先部材３１が取り付けられている。
一方、リュックサック本体１０の頂部には、防水カバー２０の装着時における前記ベルト３０との対応位置に、ベルト先部材３１を着脱可能に挿入する受け部材３５を設けてある。図７に示すように、受け部材３５は、ベルト先部材３１を重ね合わせる受け台３２、及びベルト先部材３１が通過する支持枠３３を備えている。
【００１９】
また、平板状のベルト先部材３１の表面には、常時、突出状態に付勢された係止部材３４が設けられ、これは付勢力に抗して押圧されたときに収納穴内に収納される。この係止部材３４は、受け部材３２に挿入される側は滑らかな曲面状に形成されている。したがって、受け部材３５に設けた支持枠３３を通過する際、この支持枠３３による押圧によって係止部材３４が収納穴内に収納された状態で通過し、受け台３２に到達すると係止部材３４が再び突出するので、ベルト３０が受け部材３５から抜け出ないように保持される構造である。
したがって、防水カバー２０をリュックサック本体１０に装着した後は、このような接続部材としてのベルト３０により、両者を互いに接続することができる。
【００２０】
なお、接続部材としては、上記のいわゆる差込式の例の他、一般的にベルトの端部を着脱可能に接続するものであればよく、鞄等において使用されている公知の着脱機構を備えたものであれば、どのようなタイプのものであってもよい。
【００２１】
例えば、図８に示す犬カン、図９に示すジョイント等が好適に用いられる。犬カンは、一方のリング状の留め具４１を有する受け部材に４０対し、他方、ベルトの端部に設けら
れリング４２であって、当該リング４２の一部が開閉自在なものを着脱させる機構である。また、前記ジョイントとしては、一方のベルトに設けたベルト穴に対し、他方のベルトの挿通金具に回動自在に取り付けたピンを貫通させ、挿通金具で固定する形式のもの、または、単にベルトの先端に互いに着脱自在に形成された雌雄型のジョイント部を備えたもの等であり、鞄の開口部の開閉機構等に広く用いられている。
【００２２】
このような接続手段は、防水カバーとリュックサック本体との間に、必要に応じて一または二以上設けることができる。
上記のような接続手段を設けた場合には、強風等の状況下や歩行中等において、防水カバー２０をリュックサック本体１０から外そうとする力が作用しても、防水カバー１０の装着状態を保持することができる。
【００２３】
上記防水カバー２０の端部の一部を、ポケット１２内の上記開口部１４の内側に縫着してなる。すなわち、この防水カバー２０は、端部の一部を、ポケット１２内の上記開口部１４の内側に縫着してあるので、その全体を折り畳むようにしてポケット１２内に収納できる。また、防水カバー２０の端部の一部を開口部１４の内側に縫着したので、ポケット１２内より取り出した防水カバーは、リュックサック本体１０より分離することなく、リュックサック本体１０に被せることができる。なお、防水カバー２０は、ポケット１２内において、リュックサック本体とファスナー等を用いて、適宜、着脱自在に設けることもできる。このようにすれば、防水カバーのメンテナンスが容易になる。
【００２４】
防水カバー２０の開口部１４の内側への縫着を、図３に示す例で説明すると、背板１１は、表地１１ａと裏地１１ｂとの間にクッション材１１ｃを介装して構成され、表地１１ａと裏地１１ｂとの周縁を縫い糸５０で縫合してある。そして、この縫合に際して背板１１の下辺には一方側ファスナー条１５ａと、防水カバーの端部の一部（「図２」に下辺２３として示す部位）と、内底１３ａとを共に縫合してある。なお、底面１３の背板１１に対向する辺には他方側ファスナー条１５ｂを縫着して、両ファスナー条１５ａ、１５ｂで、ポケット１２の開口部１４を開閉可能となっている。
【００２５】
次に、リュックサック本体１０の底面１３部位に内底１３ａを設けて二重底とし、背板１１の下辺に沿って該二重底の開口部１４を背板１１の略全幅に渡って設け、この開口部１４には開閉用のスライドファスナー１５を取り付け、底面１３と内底１３ａとの間をポケット１２としてある。すなわち、本考案では、ポケット１２はその開口部１４を背板１１の下辺に沿わせてその全幅に渡って設け、かつ、開口部１４はスライドファスナー１５で開閉することができる。
【００２６】
そして、防水性生地２１の周縁に、伸縮性を有した帯材２２を該防水性生地２１に襞を寄せて縫合して、リュックサック本体１０をその背板１１を残して被包するようにしたキャップ状の防水カバー２０を、上記ポケット１２内に収納してある。すなわち、前記したように、本考案の防水カバー２０は開口周縁にゴム帯等の帯材２２を設けて、予めキャップ状の開口を狭めたものを使用している。
なお、防水性生地２１の周縁に、伸縮性を有した帯材２２を該防水性生地２１に襞を寄せて縫合するのは、帯材２２を伸張させた状態で防水性生地２１に縫着し、帯材２２を伸張させる力を解くことで生地に襞が寄るようにしてある。
【００２７】
上記防水カバー２０の端部の一部を、ポケット１２内の開口辺内側に縫着してある。なお、この縫着を、上述のように係止具またはスライドファスナー等による着脱自在な接合に変えてもよい。
また、前記伸縮性を有した帯材２２は、キャップ状の開口縁全周に渡って設ければよいが、ポケット１２内の開口辺内側に縫着する部位には帯材２２を省略しても差し支えない
。
【００２８】
上記の構造のリュックサックは、図４に示すように、防水カバー２０をポケット１２から取り出し、図５に示すように、リュックサック本体１０にこれを装着する。図６のように、防水カバー２０がリュックサック本体１０を覆ったら、接続手段であるベルト３０を互いに接続すれば装着が終了する。
本考案のリュックサックは、上述の図示例にのみ限定されるものではなく、本考案の要旨を逸脱しない範囲内において種々変更を加え得ることは勿論である。
【図面の簡単な説明】
【００２９】
【図１】本考案のリュックサックの一実施例を示す背面図である。
【図２】本考案に使用される防水カバーの斜視図である。
【図３】「図１」のＡ‐Ａ線部位断面図である。
【図４】本考案のリュックサックにカバーを装着する手順を説明する図であって、ポケットから防水カバーを取り出した状態を示す斜視図である。
【図５】防水カバーをリュックサック本体に装着する直前の状態を示す図である。
【図６】防水カバーをリュックサック本体に装着した状態を示す図である。
【図７】接続手段の例として差込式の接続部による接続状態を示す斜視図である。
【図８】接続手段の例としての犬カンによる接続状態を示す図である。
【図９】接続手段の例としての雌雄ジョイントによる接続状態を示す図である。
【符号の説明】
【００３０】
１０ リュックサック本体
１１ 背板
１２ ポケット
１３ 底面
１３ａ 内底
１４ 開口部
１５ スライドファスナー
２０ 防水カバー
２１ 防水性生地
２２ 帯材
３０ ベルト（接続手段）
【図１】
0003126226.tif 000003
【図２】
0003126226.tif 000004
【図３】
0003126226.tif 000005
【図４】
0003126226.tif 000006
【図５】
0003126226.tif 000007
【図６】
0003126226.tif 000008
【図７】
0003126226.tif 000009
【図８】
0003126226.tif 000010
【図９】
0003126226.tif 000011